(57)【要約】【課題】ビニールハウスの縁裾部に設置する巾木を隙間ができない様に保持することができ、しかも、当該設置作業は容易に実施でき、取り扱う部品の点数も増加させない。【解決手段】ビニールハウス用の巾木押さえ兼用シート固定部材１０は、他のシート固定部材２３，２４と類似するチャンネル状溝部１１と、開口１２の上側の縁１２ａから、上方に伸びると共に背面側に回り込む様に下方に垂れる背面回り込み部１４を備えている。この巾木押さえ兼用シート固定部材１０は、チャンネル状溝部１１及び背面回り込み部１４が押し出し成形によって一体に形成されたアルミ合金製型材として構成され、ビニールハウスの縁裾部に埋設される巾木２１の上端を保持すると共に、ビニールハウスの側壁を構成するフィルムシート２２の下端部を固定するために、垂直方向のシート固定部材２３の外側に水平に掛け渡す様にして取り付けられる。【選択図】  図１
0003128607.tif 000002
【実用新案登録請求の範囲】
【請求項１】
ビニールハウスの側壁を構成するフィルムシートの下端部を固定するためのシート固定部材であって、前記フィルムシートを押さえバネと共に正面側から挿入するためのチャンネル状溝部を備えると共に、さらに、以下の構成を備えたことを特徴とするビニールハウス用の巾木押さえ兼用シート固定部材。
（１）前記チャンネル状溝部の開口の上側の縁から上方に伸びると共に背面側に回り込んで下方に垂れる背面回り込み部を、長手方向全長に渡って備えていること。
（２）前記背面回り込み部の正面と前記チャンネル状溝部の背面との間に、前記ビニールハウスの側壁縁裾部に設置する巾木の上端を挿入することのできる間隔を備えさせたこと。
【請求項２】
さらに、以下の構成をも備えたことを特徴とする請求項１記載のビニールハウス用の巾木押さえ兼用シート固定部材。
（３）前記背面回り込み部の下端が前記チャンネル状溝部の下端よりも下に飛び出さない様にすると共に、該背面回り込み部の下端を後方へ若干開かせたこと。
【請求項３】
さらに、以下の構成をも備えたことを特徴とする請求項１又は記載のビニールハウス用の巾木押さえ兼用シート固定部材。
（４）前記チャンネル状溝部及び前記背面回り込み部を一体に備えるアルミ合金製型材で構成したこと。
【考案の詳細な説明】
【技術分野】
【０００１】
本考案は、ビニールハウスの縁裾部に止水、保温、モグラ除け等のために設置される巾木の取付構造に関するものである。
【背景技術】
【０００２】
従来、ビニールハウスの縁裾部には、雨水の浸入を防止するための止水シート等を固定したり（特許文献１〜４）、断熱パネルを埋設する場合があった（特許文献５，６）。
【特許文献１】実開平６−６４４４２号公報（図３）
【特許文献２】実開平７−２８３３５号公報（図１）
【特許文献３】特開２００１−８６８７７号公報（図２）
【特許文献４】特開２００５−５２０８２号公報（図１）
【特許文献５】特開２０００−８３４８８（図１）
【特許文献６】登録実用新案公報第３００１８１０号（図１）
【考案の開示】
【考案が解決しようとする課題】
【０００３】
本願出願人も、図４に示す様に、ビニールハウスの縁裾部に、トタン板１０１を巾木として埋設し、止水，断熱等を施している。この本願出願人による従来のビニールハウスにおいては、図示の様に、側壁部のビニールシートを固定するための垂直方向のシート固定部材１０２の外面に、トタン板１０１を当接させ、さらに外から、水平方向のシート固定部材１０３で挟み付ける様にしてネジ１０４で締めて固定していた。
【０００４】
ところが、この本願出願人の従来技術では、トタン板１０１の反り等が原因で水平方向シート固定部材１０３との間に、隙間１０５が出来てしまい、外気や害虫が侵入するおそれが生じていた。
【０００５】
これに対する対策として、本願出願人は、隙間１０５が形成される箇所に、内面側から当て板等を施す対策を取っていたが、当て板という余分な部品を必要とすると共に、固定作業において、二人以上の作業者によって支えながら作業をする必要があった。
【０００６】
そこで、本考案は、ビニールハウスの縁裾部に設置する巾木を水平方向のシート固定部材との間に隙間が形成されない様に保持することができ、かつ、当該設置作業を容易にすることを目的とする。
【課題を解決するための手段】
【０００７】
上記目的を達成するためになされた本考案のビニールハウス用の巾木押さえ兼用シート固定部材は、ビニールハウスの側壁を構成するフィルムシートの下端部を固定するためのシート固定部材であって、前記フィルムシートを押さえバネと共に正面側から挿入するためのチャンネル状溝部を備えると共に、さらに、以下の構成を備えたことを特徴とする。
（１）前記チャンネル状溝部の開口の上側の縁から上方に伸びると共に背面側に回り込んで下方に垂れる背面回り込み部を、長手方向全長に渡って備えていること。
（２）前記背面回り込み部の正面と前記チャンネル状溝部の背面との間に、前記ビニールハウスの側壁縁裾部に設置する巾木の上端を挿入することのできる間隔を備えさせたこと。
【０００８】
また、本考案のビニールハウス用の巾木押さえ兼用シート固定部材においては、以下の構成をも備えることが望ましい。
（３）前記背面回り込み部の下端が前記チャンネル状溝部の下端よりも下に飛び出さない様にすると共に、該背面回り込み部の下端を後方へ若干開かせたこと。
【０００９】
さらに、本考案のビニールハウス用の巾木押さえ兼用シート固定部材においては、以下の構成をも備えることが望ましい。
（４）前記チャンネル状溝部及び前記背面回り込み部を一体に備えるアルミ合金製型材で構成したこと。
【００１０】
構成（１），（２）を備えた本考案のビニールハウス用の巾木押さえ兼用シート固定部材は、ビニールハウスの側壁縁裾部に巾木を設置する際には、巾木の上縁を背面回り込み部とチャンネル状溝部との間の隙間に挿入した上で、当該巾木押さえ兼用シート固定部材を垂直方向の部材にネジ止め等によって固定する様にして用いる。巾木の上端はしっかりと包み込まれた状態となるので、巾木として例えばトタン板を用いて反りが生じたとしても、従来の様なハウス内へ外気や害虫等を侵入させ得る様な隙間は生じない。また、巾木の上端は本考案のシート固定部材によって保持された状態となるので、巾木の設置作業の際の作業が簡単となる。
【００１１】
ここで、構成（３）をも備えることにより、シート固定部材自体を大きくし過ぎることがなく、しかも、巾木の挿入作業を容易に行うことができるというさらなる利点が発揮される。また、構成（４）をも備えることにより、製造単価を抑制し、かつ、十分な強度をもって巾木を設置することができるという利点がある。
【考案の効果】
【００１２】
本考案によれば、ビニールハウスの縁裾部に設置する巾木を隙間ができない様に保持することができ、しかも、当該設置作業は容易に実施でき、取り扱う部品の点数も増加させないという効果を発揮することができる。
【考案を実施するための最良の形態】
【００１３】
次に、本考案の実施の形態について説明する。実施形態のビニールハウス用の巾木押さえ兼用シート固定部材１０は、図１，図２に示す様に、ビニールハウスの縁裾部に埋設される巾木２１の上端を保持すると共に、ビニールハウスの側壁を構成するフィルムシート２２の下端部を固定するために、垂直方向のシート固定部材２３の外側に水平に掛け渡す様にして取り付けられるものである。
【００１４】
このビニールハウスでは、さらに上方に水平に掛け渡されるシート固定部材２４や垂直方向のシート固定部材２３と類似するチャンネル状溝部１１を備えている。このチャンネル状溝部１１は、図２に示す様に、開口１２の幅Ｂ１の方が溝底１３の幅Ｂ２よりも大きなほぼ台形断面の溝となっている。また、この開口１２の上側の縁１２ａから、上方に伸びると共に背面側に回り込む様に湾曲してチャンネル状溝部１１の背面１１ａより後ろまで回り込んでから屈曲して下方に垂れる背面回り込み部１４を備えている。
【００１５】
この背面回り込み部１４は、巾木押さえ兼用シート固定部材１０の全長に渡って形成されており、開口１２の上側の縁１２ａから垂直上方に伸びる立ち上がり部１４ａと、立ち上がり部１４ａの上端から後方へと湾曲する１／４円弧状の湾曲部１４ｂと、この湾曲部１４ａの後端から後方へ伸びる水平部１４ｃと、この水平部１４ｃ後端から下方へ垂直に垂れ下がる垂下部１４ｄと、この垂下部１４ｄの下端で前方へ向かってわずかに屈曲して伸びる前方傾斜垂下部１４ｅと、この前方傾斜垂下部１４ｅの下端で後方へ向かってわずかに屈曲して伸びる後方傾斜垂下部１４ｆとが一体に形成されたものとなっている。
【００１６】
なお、前方傾斜垂下部１４ｅの傾斜角αと後方傾斜垂下部１４ｆの傾斜角βは、図２（Ｂ）に示す様に、α＜βの関係となっており、後方傾斜垂下部１４ｆの下端は、水平部１４ｃの後端よりも後方に位置している。また、後方傾斜垂下部１４ｆの下端は、チャンネル状溝部１１の最下端１１ｂよりも若干上方で留まり、下方に大きくはみ出さない様にされている。
【００１７】
また、図１，図２に示す様に、巾木押さえ兼用シート固定部材１０の背面回り込み部１４の正面１４ｈとチャンネル状溝部１１の背面１１ａとの間に、巾木２１の上端を挿入することのできる間隔の隙間１５が備えられている。また、上述の様に、後方傾斜垂下部１４ｆが後方へ傾斜して隙間１５の開口１５ａは若干開いていることから、巾木２１を挿入する作業は容易に実施できる。
【００１８】
この巾木押さえ兼用シート固定部材１０は、フィルムシート２２を固定するときに傷付けない様に、チャンネル状溝部１１の開口１２の下側の縁１２ｂは断面円形の膨らみ部とされており、各屈曲部部分は面取りが施されている。なお、チャンネル状溝部１１の中心に長手方向に形成された三角形断面の溝１６は、図１に示した様なネジ止め固定の際のポンチ代わりとなる。
【００１９】
この実施形態の巾木押さえ兼用シート固定部材１０は、チャンネル状溝部１１及び背面回り込み部１４が押し出し成形によって一体に形成されたアルミ合金製型材として構成されている。
【００２０】
本実施形態では、図１，図２に示す様に、ビニールハウスの側壁縁裾部に巾木２１を設置する際に、巾木２１の上縁を背面回り込み部１４とチャンネル状溝部１１との間の隙間１５に挿入した上で、当該巾木押さえ兼用シート固定部材１０を巾木２１と共に、垂直方向のシート固定部材２３に対してネジ止めによって固定する。この結果、巾木２１の上端はしっかりと包み込まれた状態となるので、巾木２１としてトタン板を用いたときに反りが生じたとしても、従来の様なハウス内へ外気や害虫等を侵入させ得る様な隙間は生じない。また、巾木２１の上端は巾木押さえ兼用シート固定部材１０によって保持された状態となるので、巾木２１の設置作業は簡単となり、作業者一人でも実施可能となっている。
【００２１】
こうして巾木２１及び巾木押さえ兼用シート固定部材１０を設置・固定したら、フィルムシート２２をチャンネル状溝部１４に対して押さえバネ２５と共に嵌め込んで張った状態に固定する。なお、このフィルムシート２２は、押さえバネ２５を取り外すことで換気様に側壁面を開く様にすることもできる。この場合は、外側から防虫網などを被せて害虫の侵入を防止することが多い。
【００２２】
また、巾木押さえ兼用シート固定部材１０を長手方向に連結するときは、図３に示す様に、アルミ型材性のジョイント部材２６を用いて連結することができる。なお、巾木押さえ兼用シート固定部材１０のチャンネル状溝部１１の寸法・形状は、その他の水平方向のシート固定部材２４や垂直方向のシート固定部材２３とほぼ同一とされている。従って、このジョイント部材２６は、これら通常のシート固定部材２３，２４において用いるものをそのまま使用することができる。
【００２３】
なお、本実施形態では、後方傾斜垂下部１４ｆの下端を、チャンネル状溝部１１の最下端１１ｂよりも若干上方で留まり、下方に大きくはみ出さない様にしたので、シート固定部材１０自体を大きくし過ぎることがない。よって、ビニールハウス建設用資材としての保管や輸送は従来と変わりがなく、また、一棟のビニールハウスを建設する際の部品の種類は、このシート固定部材１０が一種類増加するだけに留まり、元々、ビニールハウスの側壁裾部にはシート固定部材２４を設置すべきであったことから、一棟のビニールハウスを建設するために用いる部品の数量は、むしろ低減することができるという効果が発揮される。
【００２４】
以上、本考案の一実施の形態について説明したが、本考案はこの実施の形態に限られるものではなく、その要旨を逸脱しない範囲内においてさらに種々の形態を採用することができることはもちろんである。
【００２５】
例えば、背面回り込み部１４の下端をチャンネル状溝部１１の最下端１１ｂよりもはみ出す様に長くしても構わない。また、逆に、実施形態よりも短くしても構わない。巾木２１の上端を挿入して覆うことができればよいからである。加えて、巾木２１としては、トタン板に限らず、ステンレス板等の各種金属板や、ポリカーボネート板の様な断熱性を有する合成樹脂板、さらには、複合材料で構成された板など、各種の板材を用いることができる。
【図面の簡単な説明】
【００２６】
【図１】実施の形態の巾木押さえ兼用シート固定部材を示す斜視図である。
【図２】実施の形態の巾木押さえ兼用シート固定部材を示し、（Ａ）は施工方法の説明図、（Ｂ），（Ｃ）は右側面図である。
【図３】実施の形態の巾木押さえ兼用シート固定部材の取付方法及び連結方法を示す説明図である。
【図４】従来技術の説明図である。
【符号の説明】
【００２７】
１０・・・巾木押さえ兼用シート固定部材
２１・・・巾木
２２・・・フィルムシート
２３・・・垂直方向のシート固定部材
２４・・・水平に掛け渡されるシート固定部材
１１ａ・・・チャンネル状溝部の背面
１１・・・チャンネル状溝部
１２・・・開口１２
１３・・・溝底
１２ａ・・・開口の上側の縁
１１ａ・・・チャンネル状溝部の背面
１４・・・背面回り込み部
１４ａ・・・立ち上がり部
１４ｂ・・・湾曲部
１４ｃ・・・水平部
１４ｄ・・・垂下部
１４ｅ・・・前方傾斜垂下部
１４ｆ・・・後方傾斜垂下部
１４ｈ・・・背面回り込み部の正面
１５・・・隙間
１６・・・三角形断面の溝
２５・・・押さえバネ
２６・・・ジョイント部材
【図１】
0003128607.tif 000003
【図２】
0003128607.tif 000004
【図３】
0003128607.tif 000005
【図４】
0003128607.tif 000006